(57)【要約】      （修正有）【課題】陸上用の作業機に取り付けることで、水深の浅い領域における作業機での効率的な作業を可能するための水上作業用装置を提供する。【解決手段】下方の走行体２１と、上方の本体２２とを備えた作業機２の走行体２１と本体２２との間に挿入される水上作業用装置１であって、円筒状ブラケット１１を有し、この円筒状ブラケット１１の下端を走行体２１と接続し、上端を本体２２と接続することで、浅瀬作業領域にある作業機２の本体２１を水上に維持可能とする。【選択図】図４
0003182076.tif 000002
【実用新案登録請求の範囲】
【請求項１】
下方の走行体と、上方の本体とを備えた作業機の走行体と本体との間に挿入される水上作業用装置であって、
円筒状ブラケットを有し、この円筒状ブラケットの下端を走行体と接続し、上端を本体と接続することで、浅瀬作業領域にある作業機の本体を水上に維持可能であることを特徴とする水上作業用装置。
【請求項２】
円筒状ブラケットは、上端および下端にフランジを備えていることを特徴とする請求項１の水上作業用装置。
【請求項３】
下方の走行体と上方の本体との間に、請求項１または２の水上作業用装置が挿入されて、円筒状ブラケットの下端が走行体と接続し、上端が本体と接続していることを特徴とする作業機。
【請求項４】
走行体の高さと、円筒状ブラケットの上下方向長さの和が、浅瀬作業領域の水深以上であることを特徴とする請求項３の作業機。
【請求項５】
円筒状ブラケットの内部には、走行体と本体とを接続する油圧延長ホースが配設されていることを特徴とする請求項３または４の作業機。
【考案の詳細な説明】
【技術分野】
【０００１】
本考案は、水上作業用装置およびこれを備えた作業機に関する。
【背景技術】
【０００２】
従来より、バックホウ、クローラダンプなどの作業機について、水中での作業に適した水中用作業機が提案されている（例えば、特許文献１、２など）。
【０００３】
また、特許文献３には、浅瀬用海底駆除装置が提案されている。この浅瀬用海底駆除装置は、クローラ式バックホウの車体に、フロート体を油圧ジャッキにより上下調節可能に架設し、このフロート体の前後に円筒脚管を有するアウトリガーを装備させている。そして、このアウトリガーの円筒脚管を作業現場の海底に到達固定させることによって、各フロート体を介してバックホウを海面に浮上支持することができる。
【先行技術文献】
【特許文献】
【０００４】
【特許文献１】特開2007−247218号公報
【特許文献２】特開2012−62684号公報
【特許文献３】特開2003−180226号公報
【考案の概要】
【考案が解決しようとする課題】
【０００５】
しかしながら、例えば特許文献１、２のような水中用作業機の場合には、水密性の確保のための特殊な装備を有するため、陸上用作業機に比べて高価である。また、水中用の作業機を潜水士によって水中で運転操作する場合には、作業効率が良好であるとは言い難い。したがって、例えば、作業領域が浅瀬や河川である場合において、従来の水中用作業機を投入することはコスト面や作業効率の面での課題が多いため、陸上用作業機で水上作業を可能とするための改良が望まれている。
【０００６】
一方、特許文献３の浅瀬用海底駆除装置は、アウトリガーの円筒脚管を作業現場の海底（川底）に到達固定させてバックホウを浮上させる構成であるため、海底（川底）の状態によっては、アウトリガーが機能しない場合があると考えられる。さらに、アウトリガーの円筒脚管を海底（川底）に到達固定させることによって作業機の移動が制限されるため、効率的な作業が難しいという問題がある。
【０００７】
本考案は、以上のとおりの事情に鑑みてなされたものであり、陸上用の作業機に取付けることで、浅瀬における作業機での効率的な作業を可能するための水上作業用装置を提供すること課題としている。また、この水上作業用装置を備えた作業機を提供することを課題としている。
【課題を解決するための手段】
【０００８】
上記の課題を解決するために、本考案の水上作業用装置は、下方の走行体と、上方の本体とを備えた作業機の走行体と本体との間に挿入される水上作業用装置であって、円筒状ブラケットを有し、この円筒状ブラケットの下端を走行体と接続し、上端を本体と接続することで、浅瀬作業領域にある作業機の本体を水上に維持可能であることを特徴としている。
【０００９】
この水上作業用装置では、円筒状ブラケットは、上端および下端にフランジを備えていることが好ましい。
【００１０】
本発明の作業機は、下方の走行体と上方の本体との間に、前記水上作業用装置が挿入されて、円筒状ブラケットの下端が走行体と接続し、上端が本体と接続していることを特徴としている。
【００１１】
本発明の作業機は、走行体の高さと、円筒状ブラケットの上下方向長さの和が、作業領域の水深以上であることが好ましい。
【００１２】
本発明の作業機は、円筒状ブラケットの内部には、走行体と本体とを接続する油圧延長ホースが配設されていることがより好ましい。
【考案の効果】
【００１３】
本考案の水上作業用装置および作業機によれば、浅瀬作業領域において、作業機での効率的な作業が可能となる。
【図面の簡単な説明】
【００１４】
【図１】（Ａ）は、一般的なクローラダンプ（陸上用）の形態を例示した側方からの透視図である。（Ｂ）は、（Ａ）のクローラダンプに本考案の水上作業用装置を取り付けた形態（本考案の作業機）を例示した側方からの透視図である。
【図２】本考案の水上作業用装置の一実施形態を例示した斜視図である。
【図３】一般的な陸上用バックホウ（本考案の水上作業用装置の取り付け前）の一実施形態を例示した側方からの透視図および要部拡大断面図である。
【図４】図３のバックホウに本考案の水上作業用装置を取り付けた状態を例示した側方からの透視図および要部拡大断面図である。
【考案を実施するための形態】
【００１５】
図１（Ａ）は、一般的なクローラダンプ（陸上用）の形態を例示した側方からの透視図である。図１（Ｂ）は、図１（Ａ）のクローラダンプに本考案の水上作業用装置を取り付けた形態（本考案の作業機）を例示した側方からの透視図である。
【００１６】
水上作業用装置１（図１（Ｂ）に図示）を取り付け可能な作業機２は、例えば、図１（Ａ）に例示したクローラダンプＤのように、クローラ２１aなどを備えた走行体２１と、運転席２２aや積載部２２bなどを備えた本体２２とが上下に接続する構造の陸上用の作業機２である。本体２２は、走行体２１の上方において左右方向への旋回動作が可能とされている。
【００１７】
そして、図１（Ｂ）に例示したように、水上作業用装置１は、作業機２の走行体２１と本体２２とを一旦分離させ、走行体２１と本体２２との間に水上作業用装置１を挿入、固定することで、着脱自在に取り付けることができる。また、作業機２は、水上作業用装置１が取り付けられても、本体２２の旋回動作が妨げられることがないように設計することができる。
【００１８】
作業機２に水上作業用装置１が取り付けることによって、作業機２の本体２２の位置が、水上作業用装置１の上下方向長さｈ１に対応する分だけ高くなる。このため、作業機２は、走行体２１の高さｈ２と水上作業用装置１の上下方向長さｈ１との和が、海や河川などの浅瀬作業領域（例えば、水深1.5ｍ〜4.0ｍ程度）の水深以上である場合に、作業機２を移動させても本体２２を水上に維持することができ、水に浸かることが抑制される。したがって、浅瀬作業領域であっても、作業機２に水密性を確保するための特殊な装備などは必要なく、陸上と同様の装備によって作業することができるため、コストを抑制することができる。さらに、水上作業用装置１によって、作業機２の本体２２が浅瀬作業領域の水上に維持されるため、陸上と同様に作業機２の移動や掘削操作などの作業を安定的かつ効率的に行うことができる。
【００１９】
このように、陸上用の作業機２に、本考案の水上作業用装置１を取り付けることで、浅瀬や河川などの作業領域においても、効率良く作業を行うことができる。
【００２０】
また、作業機２に取り付けた水上作業用装置１を取り外すことで、図１（Ａ）に例示した陸上用のクローラダンプＤの形態に戻すことができる。したがって、陸上または水上の作業領域に応じて水上作業用装置１を着脱してクローラダンプＤの形態を変更することができる。
【００２１】
図２は、本考案の水上作業用装置の一実施形態を例示した斜視図である。
【００２２】
水上作業用装置１は、円筒状ブラケット１１を有しており、図２に例示したような上下の位置関係で、例えば図１（Ｂ）のような作業機２の走行体２１と本体２２との間に取り付けられる。水上作業用装置１の材料としては、例えば、各種の金属などを例示することができるが、作業機２の本体２２を支持可能であり、作業領域の水圧等に耐え得る材料であれば特に限定されず、適宜な材料を採用することができる。
【００２３】
水上作業用装置１は、円筒状ブラケット１１の上端と下端に、外周縁から外側に突出するフランジ１２が配設されている。フランジ１２には、上下に貫通するボルト孔１２aが円周に沿って略等間隔に複数配設されている。水上作業用装置１は、例えば、円筒状ブラケット１１の上端のフランジ１２を作業機２の本体２２と、下端のフランジ１２を作業機２の走行体２１とそれぞれ当接させて、ボルト孔１２aを介してボルトを挿通することで、水上作業用装置１を作業機２の走行体２１と本体２２との間に取り付け固定することができる。
【００２４】
円筒状ブラケット１１の側周面には、上下方向に直線状に隆起する補強部１３が周方向に沿って複数形成されており、この補強部１３によって円筒状ブラケット１１の強度が向上するため、安定に作業機２の本体２２を支持することができる。
【００２５】
また、円筒状ブラケット１１の円径は、水上作業用装置１を取り付ける作業機２の本体２２の重量等に応じて適宜設計することができる。
【００２６】
さらに、円筒状ブラケット１１の上下長さｈ１は、浅瀬や河川などの作業領域にある作業機２の本体２２を水上に維持可能な長さに適宜設計することができる。具体的には、作業機２の下方の走行体２１の高さｈ２（図１に図示）と円筒状ブラケット１１の上下方向長さの和が作業領域の最大水深以上になるように円筒状ブラケット１１の上下長さを設計することで、作業機２の本体２２を作業領域の水上に維持することができる。
【００２７】
図３は、一般的な陸上用バックホウ（本考案の水上作業用装置の取り付け前）の一実施形態を例示した側方からの透視図および要部拡大断面図である。図４は、図３のバックホウに本考案の水上作業用装置を取り付けた状態を例示した側方からの透視図および要部拡大断面図である。図１の形態と共通する部分には、同一の符号を付し、以下では説明の一部を省略する。
【００２８】
水上作業用装置１（図４に図示）を取り付け可能な作業機２としては、例えば、図３に例示したバックホウＨを例示することができる。具体的には、作業機２（バックホウＨ）は、クローラ２１aなどを備えた走行体２１と、運転席２２a、アーム２２ｃ、バケット２２dなどを備えた本体２２とが、スイングサークル部２３を介して上下に接続している。スイングサークル部２３は、上下二段に形成されており、本体２２の下面に向かって上向きにボルトＴが挿通されており、これによって、本体２２とスイングサークル部２３および、走行体２１とスイングサークル部２３が接続している。そして、本体２２は、スイングサークル部を中心にして左右方向へ旋回可能とされている。
【００２９】
そして、図４に例示したように、本考案の水上作業用装置１は、作業機２（バックホウＨ）の走行体２１と本体２２とを一旦分離させ、走行体２１のスイングサークル部２３の下方から、走行体２１と本体２２との間に水上作業用装置１を挿入することで取付固定することができる。水上作業用装置１は、上端のフランジ１２のボルト孔１２aにボルトＴを挿通することよってスイングサークル部２３に固定され、下端のフランジ１２のボルト孔１２aにボルトＴを挿通することよって走行体２２に固定されている。
【００３０】
このように、作業機２（バックホウＨ）の走行体２１と本体２２との間に水上作業用装置１を挿入し、固定することによって、作業機２（バックホウＨ）の本体２２の位置が、水上作業用装置１の上下方向長さｈ１（図４に図示）に対応する分だけ高くなる。このため、作業機２（バックホウＨ）は、走行体２１の高さｈ２と水上作業用装置１の上下方向長さｈ１との和が、海や河川などの浅瀬作業領域の水深以上であると、作業機２（バックホウＨ）を移動させても本体２２を水上に維持することができ、コストの抑制および作業効率の向上が図られる。
【００３１】
さらに、図４に例示したように、水上作業用装置１を作業機２（バックホウＨ）に取り付ける場合には、作業機２（バックホウＨ）の本体２２と走行体２１との間に取り付けられた水上作業用装置１（円筒状ブラケット１１）の内部の空間で本体２２と走行体２１の油圧系統などを接続することができる。
【００３２】
具体的には、例えば、取付カプラー３aを備えた油圧延長ホース３の一端を作業機２（バックホウＨ）の本体２２に接続し、他端を走行体２１に接続することで、例えば走行体２１の操作に関係する油圧系統を水上作業用装置１（円筒状ブラケット１１）の内部の空間で接続することができる。これによって、作業機２（バックホウＨ）に水上作業用装置１を取り付けた場合でも、作業操作などに関わる機能を確実に確保することができる。
【００３３】
本考案の水上作業用装置および作業機は以上の形態に限定されることはない。例えば、水上作業用装置は、図１、図２、図４に例示した作業機に限定されることはなく、各種の陸上用の作業機に取り付けることができる。さらに、作業機の走行体や本体の細部については様々に設計することが可能である。また、水上作業用装置の円筒状ブラケットの円径の大きさ、円筒の厚さなども適宜設計することができる。さらに、作業機は、例えば、無線などによって遠隔操作可能とすることもでき、これによって、作業安全性を向上させることもできる。
【符号の説明】
【００３４】
１    水上作業用装置
１１  円筒状ブラケット
１２  フランジ
２    作業機
２１  走行体
２２  本体
３    油圧延長ホース
【図１】
0003182076.tif 000003
【図２】
0003182076.tif 000004
【図３】
0003182076.tif 000005
【図４】
0003182076.tif 000006